(57)【要約】【課題】所望のメッセージを入力するだけで楽しみのある電子メールを送信することができる。【解決手段】与えられたリズムパターンに類似する楽曲のリズムパターンを提供するリズム提供サーバ２００にアクセス可能な携帯電話機１００であって、キー入力によるリズムに応じたリズムパターンを生成するリズム生成部１１２と、リズム生成部１１２にて生成されたリズムパターンをリズム提供サーバ１１３に送信し、リズム提供サーバ１１３からリズムパターンが送信されてきた場合にそのリズムパターンを電子メールに添付するリズム制御部１１３とを有する。【選択図】図１
2010200271.tif 000002
【特許請求の範囲】
【請求項１】
与えられたリズムパターンに類似する楽曲のリズムパターンを提供するリズム提供手段にアクセス可能な端末装置であって、
キー入力によるリズムに応じたリズムパターンを生成する生成手段と、
前記生成手段にて生成されたリズムパターンを前記リズム提供手段に送信し、前記リズム提供手段からリズムパターンが送信されてきた場合に当該リズムパターンを電子メールに添付する制御手段とを有する端末装置。
【請求項２】
請求項１に記載の端末装置において、
前記生成手段は、予め決められた文字数のキー入力に応じたリズムパターンを生成する端末装置。
【請求項３】
請求項１または請求項２に記載の端末装置において、
前記生成手段は、電子メール作成のためのキー入力に応じたリズムパターンを生成し、
前記制御手段は、当該電子メールに前記リズム提供手段から送信されてきたリズムパターンを添付する端末装置。
【請求項４】
請求項３に記載の端末装置において、
前記生成手段は、電子メール作成開始から予め決められた文字数だけのキー入力後のキー入力によるリズムに応じたリズムパターンを生成する端末装置。
【請求項５】
与えられたリズムパターンに類似する楽曲のリズムパターンを提供するリズム提供手段にアクセス可能なコンピュータに、
キー入力によるリズムに応じたリズムパターンを生成する手順と、
前記生成されたリズムパターンを前記リズム提供手段に送信する手順と、
前記リズム提供手段からリズムパターンが送信されてきた場合に当該リズムパターンを電子メールに添付する手順とを実行させるためのプログラム。
【請求項６】
請求項５に記載のプログラムにおいて、
コンピュータに、
予め決められた文字数のキー入力に応じたリズムパターンを生成する手順を実行させるためのプログラム。
【請求項７】
請求項５または請求項６に記載のプログラムにおいて、
コンピュータに、
電子メール作成のためのキー入力に応じたリズムパターンを生成する手順と、
当該電子メールに前記リズム提供手段から送信されてきたリズムパターンを添付する手順とを実行させるためのプログラム。
【請求項８】
請求項７に記載のプログラムにおいて、
コンピュータに、
電子メール作成開始から予め決められた文字数だけのキー入力後のキー入力によるリズムに応じたリズムパターンを生成する手順を実行させるためのプログラム。
【発明の詳細な説明】
【技術分野】
【０００１】
本発明は、携帯電話機等の端末装置に関し、特に、電子メール機能付きの端末装置に関する。
【背景技術】
【０００２】
現在の携帯電話機のほとんどは、電子メール機能とｗｅｂアクセス機能（ｉ−ｍｏｄｅ、Ｓ！アプリなど）を所有しており、電子メール作成時に、絵文字やデコメール等を入力し、凝った電子メールを作成しているが、絵文字の選定する煩わしさやもどかしさが生じるとともに、電子メールの作成時間が長くなり、ユーザとしては貴重な時間を浪費し、携帯電話機としては消費電流の浪費が発生してしまう。
【０００３】
ここで、携帯端末に入力されたメッセージをサーバに送信すると、サーバにおいて、携帯端末から送信されてきたメッセージに基づいて音楽データを生成し、携帯端末に返信する技術が考えられている（例えば、特許文献１参照。）。この技術を用いて携帯端末に提供された音楽データを電子メールに添付することにより、楽しみのある電子メールを容易に送信することができるようになる。
【先行技術文献】
【特許文献】
【０００４】
【特許文献１】特開２００４−２２６６７１号公報
【発明の概要】
【発明が解決しようとする課題】
【０００５】
しかしながら、上述したような技術においては、携帯端末に入力されたメッセージに応じた音楽データが生成、提供されるものであるため、現在の心境に応じた音楽データを取得する場合、その心境に応じたメッセージを入力しなければならず、手間がかかってしまうという問題点がある。
【０００６】
本発明は、上述したような技術が有する問題点に鑑みてなされたものであって、所望のメッセージを入力するだけで楽しみのある電子メールを送信することができるようになる端末装置を提供することを目的とする。
【課題を解決するための手段】
【０００７】
上記目的を達成するために本発明は、
与えられたリズムパターンに類似する楽曲のリズムパターンを提供するリズム提供手段にアクセス可能な端末装置であって、
キー入力によるリズムに応じたリズムパターンを生成する生成手段と、
前記生成手段にて生成されたリズムパターンを前記リズム提供手段に送信し、前記リズム提供手段からリズムパターンが送信されてきた場合に当該リズムパターンを電子メールに添付する制御手段とを有する。
【発明の効果】
【０００８】
以上説明したように本発明においては、与えられたリズムパターンに類似する楽曲のリズムパターンを提供するリズム提供手段にアクセス可能な端末装置であって、キー入力によるリズムに応じたリズムパターンを生成する生成手段と、生成手段にて生成されたリズムパターンをリズム提供手段に送信し、リズム提供手段からリズムパターンが送信されてきた場合にそのリズムパターンを電子メールに添付する制御手段とを有する構成としたため、所望のメッセージを入力するだけで、そのキー入力に応じたリズムに近似した楽曲のリズムパターンが自動的に電子メールに添付され、楽しみのある電子メールを送信することができる。また、これにより、ユーザの時間浪費や携帯電話機の消費電流浪費を低減できる。
【図面の簡単な説明】
【０００９】
【図１】本発明の端末装置の実施の一形態を示すブロック図である。
【図２】図１に示した携帯電話機におけるリズムパターンＡの生成の動作を説明するためのフローチャートである。
【図３】図１に示した携帯電話機におけるリズムパターンＢの添付動作を説明するためのフローチャートである。
【発明を実施するための形態】
【００１０】
以下に、本発明の実施の形態について図面を参照して説明する。
【００１１】
図１は、本発明の端末装置の実施の一形態を示すブロック図である。
【００１２】
本形態は図１に示すように、通信回線３００を介して電子メールを送受信する機能と、Ｗｅｂアクセス機能（ｉ−ｍｏｄｅ、Ｓ！アプリ等（共に登録商標）によって通信回線３００を介してリズム提供サーバ２００にアクセスする機能とを有する携帯電話機１００であって、無線ブロック１１０と、ベースバンドブロック１１１と、生成手段であるリズム生成部１１２と、制御手段であるリズム制御部１１３と、電池１１４とから構成されている。
【００１３】
無線ブロック１１０は、通信回線３００を介した情報の送受信を行うものであって、公衆網基地局や家庭用親機からの無線信号を復調する。無線ブロック１１０の出力信号は、音声信号または制御信号としてベースバンドブロック１１１に入力される。このうち、音声信号は、音声処理されて音声として出力される。制御信号は、ベースバンドブロック１１１内の処理に用いられる。
【００１４】
ベースバンドブロック１１１は、無線ブロック１１０を制御し、受信待受け及び送信等の通信及び携帯電話機１００の全体を制御するとともに、電子メールの文字表示やカメラ画像等を表示するＬＣＤ１２０や、記憶部１２２や、“０”〜“９”の数字入力キーを含むキー１２３や、カメラ１２１等のアプリケーションの制御を行う。そして、これらＬＣＤ１２０、キー１２３及び記憶部１２２を用い、スケジュール管理機能や、電卓機能、アラーム（目覚まし）機能、ＴＶ放送表示機能を動作させ、更にカメラ１２１を動作させて静止画や動画の撮影等のアプリケーションを動作させることが可能である。
【００１５】
記憶部１２２は、ある任意の文字数Ｎ、音楽データ、ＴＶ放送データ及びカメラ１２１から取り込んだ画像データを格納することができ、それらのデータは外部機器を使用することにより、携帯電話機１００の外部に取り出すことが可能である。
【００１６】
電池１１４は、携帯電話機１００に電源を供給する充電可能な２次電池である。
【００１７】
リズム生成部１１２は、ユーザが携帯電話機１００において電子メール作成を実施しているか否かを検出し、電子メール作成を実施していると判断した場合は、記憶部１２２に記憶されている、ある任意の文字数Ｎを読み込み、電子メール作成時にＮ文字分の入力があるまでのリズムを監視し、このリズムに応じたリズムパターンＡを生成し、生成したリズムパターンＡをリズム制御部１１３に出力する。
【００１８】
リズム制御部１１３は、リズム生成部１１２にて生成されたリズムパターンＡが出力されてくることを監視し、リズム生成部１１２からリズムパターンＡが出力されてきたと判断した場合は、携帯電話機１００が有するＷｅｂアクセス機能を動作させ、このリズムパターンＡを通信回線３００を介してリズム提供サーバ２００に送信する。
【００１９】
リズム提供サーバ２００は、携帯電話機１００から送信されてきたリズムパターンＡと類似する既存の楽曲を選定し、選定した楽曲のリズムパターンＢを、リズムパターンＡの送付元となる携帯電話機１００に送信する。
【００２０】
そして、リズム制御部１１３は、リズム提供サーバ２００から送信されたリズムパターンＢが受信されるか否かを監視し、リズムパターンＢを受信したと判断した場合は、受信したリズムパターンＢを作成中の電子メールに添付する。
【００２１】
以下に、上記のように構成された携帯電話機１００の動作いついてフローチャートを参照して説明する。
【００２２】
まず、図１に示した携帯電話機１００におけるリズムパターンＡの生成の動作について説明する。
【００２３】
図２は、図１に示した携帯電話機１００におけるリズムパターンＡの生成の動作を説明するためのフローチャートである。
【００２４】
携帯電話機１００の待受状態においては（ステップ１０１）、リズム生成部１１２において、電子メール作成機能が動作しているか否かを監視している（ステップ１０２）。
【００２５】
そして、電子メール作成機能が動作していると判断された場合は、リズム生成部１１２において、記憶部１２２に記憶されている文字数Ｎを読み込み（ステップ１０３）、電子メール作成のためのキー入力の文字数がＮになるまで監視する（ステップ１０４）。
【００２６】
リズム生成部１１２において、電子メール作成のためのキー入力の文字数がＮ以上か否かを判断し（ステップ１０５）、電子メール作成のためのキー入力の文字数がＮ以上と判断された場合は、リズム生成部１１２において、Ｎ文字入力時のそれまでのキー入力に応じたリズムパターンＡを生成し（ステップ１０６）、生成したリズムパターンＡをリズム制御部１１３に出力する（ステップ１０７）。
【００２７】
また、ステップ１０２にて電子メール作成機能が動作してないと判断された場合は、引き続き、電子メール作成機能が動作しているか否かを監視する。
【００２８】
また、ステップ１０５の判断において、電子メール作成のためのキー入力の文字数がＮ以上ではないと判断された場合は、リズム生成部１１２において、電子メール作成完了か否かの判断を行い（ステップ１０８）、電子メール作成完了と判断された場合は、リズム生成部１１２を停止し（ステップ１０９）、作成した電子メールを送信する（ステップ１１０）。
【００２９】
ステップ１０８の判断において、電子メール作成が完了してないと判断された場合は、電子メール作成のためのキー入力の文字数がＮ以上か否かを判断する処理に戻る。
【００３０】
次に、図１に示した携帯電話機１００におけるリズムパターンＢの添付動作について説明する。
【００３１】
図３は、図１に示した携帯電話機１００におけるリズムパターンＢの添付動作を説明するためのフローチャートである。
【００３２】
電子メールの作成状態において（ステップ２０１）、リズム制御部１１３において、リズム生成部１１２からリズムパターンＡが出力されてきたか否かを監視し（ステップ２０２）、リズム生成部１２２からリズムパターンＡが出力されてきたと判断された場合は、リズム制御部１１３において、ｗｅｂアクセス機能を動作させ（ステップ２０３）、リズム生成部１２２から出力されてきたリズムパターンＡを通信回線３００を介してリズム提供サーバ２００に送信する（ステップ２０４）。
【００３３】
その後、リズム制御部１１３において、リズム提供サーバ２００にてリズムパターンＡと類似するものとして選曲された楽曲のリズムパターンＢが送信されてきたか否かを監視し（ステップ２０５）、リズム提供サーバ２００からリズムパターンＢが送信されてきたと判断された場合は、リズム制御部１１３において、リズム提供サーバ２００から送信されてきたリズムパターンＢを記憶部１２２に記憶し（ステップ２０６）、作成中の電子メールにリズムパターンＢを添付する（ステップ２０７）。
【００３４】
また、リズム制御部１１３においてリズム生成部１１２からリズムパターンＡが出力されてきてないと判断された場合は、引き続き、リズム制御部１１３において、リズム生成部１１２からリズムターンＡが出力されてきたか否かを監視する。
【００３５】
また、リズム制御部１１３において、リズム提供サーバ２００からリズムパターンＢが送信されてきてないと判断された場合は、引き続き、リズム制御部１１３においてリズム提供サーバ２００からリズムパターンＢが送信されてきたか否かを監視する。
【００３６】
このように、本形態においては、所望のメッセージを入力するだけで、そのキー入力に応じたリズムに近似した楽曲のリズムパターンが自動的に電子メールに添付され、楽しみのある電子メールを送信することができる。また、これにより、ユーザの時間浪費や携帯電話機の消費電流浪費を低減できる。
【００３７】
また、携帯電話機１００で作成した電子メールを受信したユーザに対し、電子メール作成時のリズムがほぼ毎回異なるため、毎回異なるリズムが添付された電子メールを作成することができるため、期待感のある電子メールを送ることができる。
【００３８】
なお、本形態においては、リズムパターンＡを生成する場合の任意の文字数Ｎは、記憶部１２２に記憶されているものを例に挙げて説明したたが、ＬＣＤ１２０やキー１２３を使用し、ユーザにより任意の文字数を変更できることが可能となる構成でもよい。
【００３９】
また、本形態においては、電子メール作成開始時の文字から任意の文字数Ｎまでのキー入力のリズムに応じたリズムパターンＡを生成するものを例に挙げて説明したが、電子メール作成開始後のＭ文字目から、予め決められたＮ文字目までのキー入力のリズムにより、リズムパターンＡを作成できることが可能となる構成でもよい。
【００４０】
また、本形態においては、電子メール作成時のキー入力によるリズムに応じたリズムパターンＡを生成しているが、キー入力によるリズムは、電子メール作成時に限らずリズムパターンＡの生成に利用することができる。
【００４１】
なお、本発明においては、携帯電話機１００内の処理は上述の専用のハードウェアにより実現されるもの以外に、その機能を実現するためのプログラムを携帯電話機１００にて読取可能な記録媒体に記録し、この記録媒体に記録されたプログラムを携帯電話機１００に読み込ませ、実行するものであっても良い。携帯電話機１００にて読取可能な記録媒体とは、ＩＣカードやメモリカード、あるいは、フロッピーディスク（登録商標）、光磁気ディスク、ＤＶＤ、ＣＤなどの移設可能な記録媒体の他、携帯電話機１００に内蔵されたＨＤＤ等を指す。この記録媒体に記録されたプログラムは、例えば、制御ブロックにて読み込まれ、制御ブロックの制御によって、上述したものと同様の処理が行われる。
【符号の説明】
【００４２】
１００    携帯電話機
１１０    無線ブロック
１１１    ベースバンドブロック
１１２    リズム生成部
１１３    リズム制御部
１１４    電池
１２０    ＬＣＤ
１２１    カメラ
１２２    記憶部
１２３    キー
２００    リズム提供サーバ
３００    通信回線
【図１】
2010200271.tif 000003
【図２】
2010200271.tif 000004
【図３】
2010200271.tif 000005